(57)【要約】【課題】最大で  １８０°よりも大きな角度に首を振ることができると共に、首振りの範囲を好みの角度に調節でき、しかも、首を振る動きが滑らかで、静粛運転できる首振り式電気機器を提供することを目的とする。【解決手段】固定側台座１の上壁部１ａの上面に円形環状ガイド凹周溝１４を形成し、空調用主要頭部を取り付けた回転盤３を、凹周溝１４内に配設した多数の玉４を介して、載置し、台座１の上壁部１ａにて上記回転盤３を支持する。さらに、凹周溝１４の円形中心点を通る鉛直軸心Ｘに沿って配設した回転軸１３を介して、回転盤３と、台座１の内部に設けたモータ２とを、連結する。さらに、最大首振り角度を、  １８０°以上まで、無段階に調節可能なように反転信号をモータ２に送る反転首振り手段１５を、具備している。【選択図】  図４
2005002908.tif 000002
【特許請求の範囲】
【請求項１】
固定側台座（１）の上壁部（１ａ）の上面に円形環状ガイド凹周溝（１４）を形成し、空調用主要頭部（２１）を取り付けた回転盤（３）を、上記凹周溝（１４）内に配設した多数の玉（４）を介して、載置し、上記台座（１）の上壁部（１ａ）にて上記回転盤（３）を支持し、さらに、上記円形環状ガイド凹周溝（１４）の円形中心点（Ｏ）を通る鉛直軸心（Ｘ）に沿って配設した回転軸（１３）を介して、上記回転盤（３）と、台座（１）の内部に設けたモータ（２）とを、連結したことを特徴とする首振り式電気機器。
【請求項２】
固定側台座（１）の上壁部（１ａ）の上面に円形環状ガイド凹周溝（１４）を形成し、空調用主要頭部（２１）を取り付けた回転盤（３）を、上記凹周溝（１４）内に配設した多数の玉（４）を介して、載置し、上記台座（１）の上壁部（１ａ）にて上記回転盤（３）を支持し、さらに、上記円形環状ガイド凹周溝（１４）の円形中心点（Ｏ）を通る鉛直軸心（Ｘ）に沿って配設した回転軸（１３）を介して、上記回転盤（３）と、台座（１）の内部に設けたモータ（２）とを、連結し、
さらに、最大首振り角度（θｍａｘ  ）を、  １８０°以上の所定値まで、無段階に調節可能なように反転信号を上記モータ（２）に送る反転首振り手段（１５）を、具備したことを特徴とする首振り式電気機器。
【請求項３】
反転首振り手段（１５）が、回転盤（３）に鉛直軸心（Ｘ）廻りに回転可能に設けられた平面視円弧状の上側ギア体（９）・下側ギア体（１０）と、該上側ギア体（９）及び下側ギア体（１０）に噛合するピニオン部（８）と、該ピニオン部（８）を回転させる手動の調節用つまみ（７）と、上側ギア体（９）と下側ギア体（１０）に付設された磁石（６）（６）と、台座（１）側に設けられて反転信号を送信するセンサ（５）と、上記反転信号を上記モータ（２）へ送る切換スイッチ回路と、を備えている請求項２記載の首振り式電気機器。
【請求項４】
上記鉛直軸心（Ｘ）から上記凹周溝（１４）の幅中心線までの半径寸法（Ｒ１４）は、上記鉛直軸心（Ｘ）から上記回転盤（３）の外周端までの半径寸法（Ｒ３  ）の  ０．５倍よりも大きく設定された請求項１，２又は３記載の首振り式電気機器。
【発明の詳細な説明】
【０００１】
【発明の属する技術分野】
本発明は、扇風機や暖房機等の首振り式電気機器に関する。
【０００２】
【従来の技術】
従来の首振り式電気機器は、上方に空調用主要頭部（送風ファン）を取り付けた支柱が、鉛直軸心廻りに回転可能に固定側台座に備えられ、台座内部に備えられたモータの鉛直方向の出力軸に装着されるカム板には、偏心軸が一体形成されており、揺動リンクの一端側に形成した挿通孔に上記のカム板の偏心軸が遊嵌され、一方、揺動リンクの他端側に形成した挿通孔には、支柱を回転自在に支持する支持板に備えられた突部に、遊嵌されたものが知られている（例えば、特許文献１参照）。
【０００３】
【特許文献１】
特開平５−１６９４号公報
【０００４】
【発明が解決しようとする課題】
この従来の首振り式電気機器に於ては、モータを駆動させると、カム板が回転して、揺動リンクが台座に対して支柱を鉛直軸心廻りに回動させ、送風ファンの首が振られる。
しかし、支柱が左右に回動する角度は  １８０°未満と小さく、使用場所の周囲に対して狭い範囲にしか送風できず、また、好みの角度に調節することができないので不便である。しかも、回転運動をカム機構により揺動リンクから空調用主要頭部の支柱に伝える構成なので、短期間の使用で壊れやすく、メンテナンスが困難で、また、首振りの動きもスムースではない。
【０００５】
そこで、本発明は、最大で  １８０°よりも大きな角度まで首を振ることができると共に、首振りの範囲を好みの角度に調節でき、しかも、首を振る動きが滑らかで、静粛運転できる首振り式電気機器を提供することを目的とする。
【０００６】
【課題を解決するための手段】
上記の目的を達成するために、本発明に係る首振り式電気機器は、固定側台座の上壁部の上面に円形環状ガイド凹周溝を形成し、空調用主要頭部を取り付けた回転盤を、上記凹周溝内に配設した多数の玉を介して、載置し、上記台座の上壁部にて上記回転盤を支持し、さらに、上記円形環状ガイド凹周溝の円形中心点を通る鉛直軸心に沿って配設した回転軸を介して、上記回転盤と、台座の内部に設けたモータとを、連結している。
【０００７】
また、固定側台座の上壁部の上面に円形環状ガイド凹周溝を形成し、空調用主要頭部を取り付けた回転盤を、上記凹周溝内に配設した多数の玉を介して、載置し、上記台座の上壁部にて上記回転盤を支持し、さらに、上記円形環状ガイド凹周溝の円形中心点を通る鉛直軸心に沿って配設した回転軸を介して、上記回転盤と、台座の内部に設けたモータとを、連結し、さらに、最大首振り角度を、  １８０°以上の所定値まで、無段階に調節可能なように反転信号を上記モータに送る反転首振り手段を、具備している。
【０００８】
また、反転首振り手段が、回転盤に鉛直軸心廻りに回転可能に設けられた平面視円弧状の上側ギア体・下側ギア体と、該上側ギア体及び下側ギア体に噛合するピニオン部と、該ピニオン部を回転させる手動の調節用つまみと、上側ギア体と下側ギア体に付設された磁石と、台座側に設けられて反転信号を送信するセンサと、上記反転信号を上記モータへ送る切換スイッチ回路と、を備えている。
さらに、上記鉛直軸心から上記凹周溝の幅中心線までの半径寸法は、上記鉛直軸心から上記回転盤の外周端までの半径寸法の  ０．５倍よりも大きく設定されている。
【０００９】
【発明の実施の形態】
以下、実施の形態を示す図面に基づき、本発明を詳説する。
【００１０】
図１に示したように、扇風機や暖房機等の首振り式空調用電気機器２０は、ファン部やヒーター部を有する空調用主要頭部２１と、頭部２１を取り付けた回転盤３と、回転盤３を鉛直軸心Ｘ廻りに回転可能として支持する固定側台座１と、台座１の内部に備えられ回転盤３を回転させるモータ２と、を備えている。
そして、図２，図３，図４，図５及び図６に示したように、回転盤３は、円形周状起立壁部３ａと、周状起立壁部３ａの下端に外方へ向けて形成された水平周状鍔部３ｂと、を有している。固定側台座１の上壁部１ａの上面には、円形環状ガイド凹周溝１４が形成され、回転盤３の鍔部３ｂが、凹周溝１４内に配設した多数の玉４…を介して、載置されており、回転盤３は、台座１の上壁部１ａにて、回転可能に支持されている。玉４の材質は鋼等が好ましい。
鉛直軸心Ｘから凹周溝１４の幅中心線までの半径寸法Ｒ１４は、鉛直軸心Ｘから回転盤３の外周端までの半径寸法Ｒ３  の  ０．５倍よりも大きく設定される。望ましくは、  ０．６倍〜  ０．７倍が好ましい。
【００１１】
台座１の上壁部１ａには、円形環状ガイド凹周溝１４の円形中心点Ｏと同心の円形孔部１ｂが形成される。そして、回転軸１３が、円形中心点Ｏを通る鉛直軸心Ｘに沿うように孔部１ｂに嵌入されており、回転盤３と、台座１の内部に設けたモータ２とが、この回転軸１３によって、連動連結される。
【００１２】
さらに、空調用電気機器２０は、頭部２１及び回転盤３の最大首振り角度を、  １８０°以上の所定値まで、無段階に調節可能なように反転信号を上記モータ２に送る反転首振り手段１５を、具備している。この反転首振り手段１５は、回転盤３に鉛直軸心Ｘ廻りに回転可能に設けられた平面視円弧状の上側ギア体９・下側ギア体１０と、上側ギア体９及び下側ギア体１０に噛合するピニオン部８と、ピニオン部８を回転させる手動の調節用つまみ７と、上側ギア体９と下側ギア体１０に付設された磁石６，６と、台座１側に設けられて反転信号を送信するセンサ５と、反転信号をモータ２へ送る（図示省略の）切換スイッチ回路と、を備えている。
【００１３】
具体的に説明すると、下側ギア体１０の上に上側ギア体９が載置されて、回転盤３の鍔部３ｂ上に配設されている。このとき、上側ギア体９の下面に形成された周状レール小凹溝９ａに、下側ギア体１０の上面に形成された周状レール小凸隆１０ａが嵌合している。そして、上側ギア体９の時計回り方向の先端部及び下側ギア体１０の反時計回り方向の先端部には、磁石６，６が取付けられている。あるいは、磁石６，６は、上側ギア体９の反時計回り方向の先端部及び下側ギア体１０の時計回り方向の先端部に、取付けられてもよい。上側ギア体９に形成された外方鍔部９ｄの下壁面には、ギア部９ｃが形成され、下側ギア体１０に形成された外方鍔部１０ｄの上壁面には、ギア部１０ｃが形成されており、ピニオン部８が、上記ギア部９ｃとギア部１０ｃとに、噛合する。調節用つまみ７は、ピニオン部８と、水平状回転軸にて連結されている。また、上側ギア体９の内周壁面と下側ギア体１０の内周壁面には、周状ガイド凸隆９ｂ，１０ｂが形成されており、周状ガイド凸隆９ｂ，１０ｂは、回転盤３の周状起立壁部３ａに当接している。
また、両ギア体９，１０及び調節用つまみ７を回転盤３上から離脱させないためのガイド固定板１２が、両ギア体９，１０及び調節用つまみ７の上方から覆うように配設され、かつ、回転盤３に固着される。
【００１４】
また、センサ５は、台座１の内部に於て、台座１の上壁部１ａの裏面の下方に取り付けられている。図７に於ては、第１センサ５Ａと第２センサ５Ｂが台座１に配設されており、図８に於ては、１つのセンサ５が配設されている。また、図９に示したように、センサ５は、弾性変形可能な上側金属部５ａ・下側金属部５ｂを有して、互いに離間・当接可能な状態で配設されている。そして、上側金属部５ａ・下側金属部５ｂは、上記の切換スイッチ回路と（図示省略の）配線にて接続されている。
【００１５】
次に、上記の電気機器２０の作用について説明する。図５に於て、調節用つまみ７を一方向に回すと、上側ギア体９が反時計回りに回転すると共に、下側ギア体１０が時計回りに回転する。また、調節用つまみ７を他方向に回すと、上側ギア体９は時計回りに回転すると共に、下側ギア体１０は反時計回りに回転する。このようにして、回転盤３上で、２つの磁石６，６の相対位置を無段階に変化させることで、（後述する）首振り角度θの大きさを無段階に変えて設定する。
【００１６】
そして、電気機器２０を使用する際に、モータ２の電源を入れ始動させると、図３，図４にて説明したように、回転盤３は、台座１の凹周溝１４内に配設した多数の玉４…を転がしながら、鉛直軸心Ｘ廻りに回転し、空調用主要頭部２１が首を振る。電気機器２０の反転首振り手段１５が、第１センサ５Ａと第２センサ５Ｂを備え、２つのセンサ５Ａ，５Ｂが円形中心点Ｏに対して対称位置に配設されている場合は、回転盤３は、図７（ａ）に図示した状態から、矢印２６のように回転し、図７（ｂ）に図示したように、下側ギア体１０に備えられた磁石６が第１センサ５Ａに近接すると、第１センサ５Ａから（図示省略の）切換スイッチ回路を介して、反転信号がモータ２へ送信され、モータ２が反転して、回転盤３は、矢印２７のように回転する。そして、図７（ｃ）に図示したように、上側ギア体９に備えられた磁石６が第２センサ５Ｂに近接すると、第２センサ５Ｂから切換スイッチ回路を介して、反転信号がモータ２へ送信され、モータ２が反転して、回転盤３は、矢印２９のように回転し、図７（ａ）の状態となり、そして、図７（ｂ）の状態になる。θは回転盤３の首振り角度であり、図７に於ては、最大首振り角度θｍａｘ  は  １８０°未満となる。
【００１７】
次に、電気機器２０の反転首振り手段１５が、センサ５を１つだけ備えている場合は、回転盤３は、図８（ａ）に図示した状態から、矢印２６のように回転して図８（ｂ）に図示した状態になると、モータ２が反転し、矢印２７のように回転する。そして、図８（ｃ）に図示した状態になると、再び反転して、矢印２９のように回転し、図７（ａ）の状態となり、そして、図８（ｂ）の状態になる。この場合、上側ギア体９を、さらに反時計回りに回転させ、下側ギア体１０を、さらに時計回りに回転させて、磁石６，６を接近させつつ角度θを大きくすると、最大首振り角度θｍａｘ  を、  ３６０°近くまで設定することができる。
なお、モータ２の電源が切ってある場合でも、入っている場合でも、調節用つまみ７を回して、首振り角度θを調節可能である。
【００１８】
次に、センサ５の作用について説明する。図９（ａ）の状態のセンサ５に磁石６が近接すると、その磁力により、図９（ｂ）に示したように、下側金属部５ｂが上側金属部５ａ側に引き寄せられ、（あるいは、図示省略するが、上側金属部５ａが下側金属部５ｂ側へ押えつけられ、）互いに当接することで通電し、切換スイッチ回路へ電流が流れて、切換スイッチ回路からモータ２へ反転信号が送信される。そして、回転盤３が回転し、図９（ｂ）の状態のセンサ５に磁石が近接すると、図９（ｃ）に示したように、下側金属部５ｂが上側金属部５ａから離間し、切換スイッチ回路への電流が流れなくなることで、切換スイッチ回路からモータ２へ反転信号が送信される。
【００１９】
なお、図７に於て、２つの第１センサ５Ａと第２センサ５Ｂは、円形中心点Ｏに対して対称位置に配設されているが、設計変更自由であり、両センサ５Ａ，５Ｂと円形中心点Ｏとの距離が略同じであれば、位置を変えて配設されてもよい。
【００２０】
以上のように、回転盤３と、固定側台座１の間には、多数の玉４…が配設されているので、回転盤３を、スムースに鉛直軸心Ｘ廻りに回転させることができ、静粛運転を実現できて、使用電力量も節約できる。また、故障も起こりにくいので、使用寿命が長く、経済的である。
【００２１】
また、図３と図４に於て、回転軸１３は下方開口状孔２３を有し、この孔２３にはキー溝を形成し、他方、モータ２の出力軸にピン（又はキー）２４を固着して、上記孔２３のキー溝に差し込む構造であるので、回転盤３と回転軸１３を一体状に組合わせてから、台座１の中央の孔部１ｂに上方から挿入すれば、モータ２の出力軸と連結される。
よって、回転盤３，モータ２が、回転軸１３と上下に分離可能に連結されることにより、回転盤３を台座１から取り外して、メンテナンスを容易に行うこともでき、また、取り付けも容易である。
【００２２】
また、反転首振り手段１５は、簡単な構造で、製造も容易でありながら、調節用つまみ７を回すだけで、無段階に、好みの首振り角度に調節することができる。さらに、この反転首振り手段１５によって、首振り角度を  １８０°以上の所定値にも設定することができ、（図８にて説明したように、）センサ５を１つ配設した場合は、最大で  ３６０°近くまで設定できるので、使用場所の状況に応じて、広い範囲に首を振らせることもでき、便利である。
また、台座１に２つのセンサ５，５の取り付けられる相対位置を様々に変化させて配設することによっても、首振り角度を変化させて設定することができる。
【００２３】
なお、上述した反転首振り手段１５は設計変更自由である。即ち、固定側台座１にリミットスイッチを備えると共に、回転盤３に切換部材を備えて、回転盤３の回転に伴い、切換部材がリミットスイッチに接触することで、リミットスイッチから、固定側台座１に備えられた切換スイッチ回路を介して、反転信号がモータへ送られ、回転盤３が反転する。
【００２４】
【発明の効果】
本発明は、上述の構成により次のような著大な効果を奏する。
【００２５】
（請求項１，２によれば、）回転盤３を、スムースに鉛直軸心Ｘ廻りに回転させることができるので、静粛運転でき、使用電力量も節約でき、故障も起こりにくいので使用寿命が長い。また、重量の大きいモータ２を固定（台座１）側に設けたので合理的であり、玉４及び摺接凹周溝１４の寿命が延びる。
【００２６】
（請求項２によれば、）  １８０°以上の好みの角度に首を振らせることができ、しかも、その角度を無段階に調節できるので、使用場所の状況に応じて、広い範囲に首を振らせることができ、便利である。
【００２７】
（請求項３によれば、）反転首振り手段１５は、簡単な構造で、製造も容易でありながら、調節用つまみ７を回すだけで、無段階に、好みの首振り角度に調節することができる。しかも、機械的に大きな力が作用せず、破損しにくく長寿命である。
【００２８】
（請求項４によれば、）回転盤３を、台座１上にバランス良く配設することができ、かつ、各玉４…に働く力も小さくでき、回転盤３が回転中に振れることなく、電気機器の空調用主要頭部２１の首振りを、一層スムースに行うことができる。
【図面の簡単な説明】
【図１】本発明に係る首振り式電気機器の実施の一形態を示す側面図である。
【図２】要部平面図である。
【図３】図２のＡ−Ａ断面図である。
【図４】図２のＢ−Ｂ断面図である。
【図５】反転首振り手段を示す平面図である。
【図６】図６のＣ−Ｃ断面図である。
【図７】反転首振り手段を示す説明用の要部平面図である。
【図８】本発明に係る首振り式電気機器の他の実施の形態を示す説明用の要部平面図である。
【図９】センサを示す説明用の側面図である。
【符号の説明】
１    台座
１ａ  上壁部
２    モータ
３    回転盤
４    玉
５    センサ
６    磁石
７    調節用つまみ
８    ピニオン部
９    上側ギア体
１０        下側ギア体
１３        回転軸
１４        凹周溝
１５        反転首振り手段
２１        頭部
Ｏ    円形中心点
Ｒ３    半径寸法
Ｒ１４  半径寸法
Ｘ    鉛直軸心
θｍａｘ    最大首振り角度
【図１】
2005002908.tif 000003
【図２】
2005002908.tif 000004
【図３】
2005002908.tif 000005
【図４】
2005002908.tif 000006
【図５】
2005002908.tif 000007
【図６】
2005002908.tif 000008
【図７】
2005002908.tif 000009
【図８】
2005002908.tif 000010
【図９】
2005002908.tif 000011